(57)【要約】【課題】複数の周波数の電波を効率よく送受信できるループアンテナを提供する。【解決手段】第１共振周波数にて励振される第１ループアンテナ１０、第１共振周波数において、第１ループアンテナ１０より大きいインダクタンスを有し、第１共振周波数よりも低い周波数である第２共振周波数で励振される第２ループアンテナ２０、第２ループアンテナ２０と第１ループアンテナ１０とが、１つの電気的ループを形成することにより、１つのループアンテナとして励振できるように、第２ループアンテナ２０と第１ループアンテナ１０とを２点で電気的に接続する接続部３０とを備えたことを特徴とするループアンテナ。【選択図】図１
2014135715.tif 000002
【特許請求の範囲】
【請求項１】
第１共振周波数にて励振される第１ループアンテナ（１０）と、
前記第１共振周波数において、前記第１ループアンテナより大きいインダクタンスを有し、前記第１共振周波数よりも低い周波数である第２共振周波数で励振される第２ループアンテナ（２０）と、
前記第２ループアンテナと前記第１ループアンテナとが、１つの電気的ループを形成することにより、１つのループアンテナとして励振できるように、前記第２ループアンテナと前記第１ループアンテナとを２点で電気的に接続する接続手段（３０）と、
を備えたことを特徴とするループアンテナ（１）。
【請求項２】
請求項１に記載のループアンテナにおいて、
前記接続手段は、誘導性を有することを特徴とするループアンテナ。
【請求項３】
請求項２に記載のループアンテナにおいて、
前記誘導性を有する接続手段は、コイルであることを特徴とするループアンテナ。
【請求項４】
請求項３に記載のループアンテナにおいて、
前記コイルは、チップインダクタであることを特徴とするループアンテナ。
【請求項５】
請求項１に記載のループアンテナにおいて
前記接続手段は、スイッチ（１００，１０２）であることを特徴とするループアンテナ
【請求項６】
請求項１〜請求項５のいずれか１項に記載のループアンテナにおいて、
前記第１ループアンテナは、複数周回のループで形成されていることを特徴とするループアンテナ、
【請求項７】
請求項１〜請求項６のいずれか１項に記載のループアンテナにおいて、
前記第２ループアンテナは複数周回のループで形成されていることを特徴とするループアンテナ、
【請求項８】
請求項１〜請求項７のいずれか１項に記載のループアンテナにおいて、
前記第１ループアンテナは、プリント基板（４０）に基板パターンとして実装されていることを特徴とするループアンテナ。
【請求項９】
請求項１〜請求項８のいずれか１項に記載のループアンテナにおいて、
前記第２ループアンテナは、プリント基板に基板パターンとして実装されていることを特徴とするループアンテナ。
【請求項１０】
請求項１〜請求項９のいずれか１項に記載のループアンテナにおいて、
前記第２ループアンテナにおいて、前記第２ループアンテナの有する誘導成分とで低域通過フィルタを形成するコンデンサ（８０）を備えたことを特徴とするループアンテナ。
【請求項１１】
請求項１〜請求項１０のいずれか１項に記載のループアンテナにおいて、
前記第１共振周波数で励振するときは、前記第１ループアンテナに接続された外部回路から供給される電気信号で励振されることを特徴とするループアンテナ。
【請求項１２】
請求項１１に記載のループアンテナにおいて、
前記第１共振周波数は、自動車のリモートシステムに使用される周波数であることを特徴とするループアンテナ。
【請求項１３】
請求項１〜請求項１２のいずれか１項に記載のループアンテナにおいて、
前記第２共振周波数で励振するときは、外部から印加される電波により励振されることを特徴とするループアンテナ。
【請求項１４】
請求項１３に記載のループアンテナにおいて、
前記第２共振周波数は、ＲＦＩＣタグで使用される周波数であることを特徴とするループアンテナ。
【発明の詳細な説明】
【技術分野】
【０００１】
本発明は、複数の周波数の電波を送受信可能とするループアンテナに関する。
【背景技術】
【０００２】
従来、ＲＦＩＤタグなどに用いられるループアンテナにおいて、ループの途中に適切な値の容量性素子を接続することによって、ループアンテナのインダクタンスを変化させ、複数の周波数を送受信できるようにしたループアンテナが提案されている（例えば特許文献１参照）。
【先行技術文献】
【特許文献】
【０００３】
【特許文献１】特開２００９−２７８５５０号公報
【発明の概要】
【発明が解決しようとする課題】
【０００４】
ところが、上記従来のループアンテナは、ＲＦＩＤタグのように外部から印加される電波の磁束密度の変化により作動するための無線回路に用いられること（つまり、受信のみ）を前提とし、電波を送信することを前提にしていない。したがって、そのループアンテナを電波送信用に使用する場合、ループ内側に電池などの金属があると、電波送信時に損失となり、送信効率が悪くなるという問題がある。
【０００５】
本発明は、こうした問題に鑑みなされたもので、複数の周波数の電波を効率よく送受信できるループアンテナを提供することを目的とする。
【課題を解決するための手段】
【０００６】
この欄においては、発明に対する理解を容易にするため、必要に応じて「発明を実施するための形態」欄において用いた符号を付すが、この符号によって請求の範囲を限定することを意味するものではない。
【０００７】
上記「発明が解決しようとする課題」において述べた問題を解決するためになされた発明は、第１ループアンテナ（１０）、第２ループアンテナ（２０）及び接続手段（３０）を備えている。
【０００８】
第１ループアンテナ（１０）は、第１共振周波数にて励振され、第２ループアンテナ（２０）は、第１共振周波数において、第１ループアンテナ（１０）より大きいインダクタンスを有し、第１共振周波数よりも低い周波数である第２共振周波数で励振される。
【０００９】
また、接続手段（３０）は、第２ループアンテナ（２０）と第１ループアンテナ（１０）とが、１つの電気的ループを形成することにより、１つのループアンテナとして励振できるように、第２ループアンテナ（２０）と第１ループアンテナ（１０）とを２点で電気的に接続するものである。
【００１０】
このようなループアンテナでは、第１ループアンテナ（１０）と第２ループアンテナ（２０）が接続手段（３０）により２点で接続され、第２ループアンテナ（２０）と第１ループアンテナ（１０）とが、１つの電気的ループを形成することにより、１つのループアンテナとして励振できるようになっている。
【００１１】
また、第２ループアンテナ（２０）は、第１共振周波数において、第１ループアンテナ（１０）より大きいインダクタンスを有し、第１共振周波数よりも低い周波数である第２共振周波数で励振される。
【００１２】
したがって、第１共振周波数よりも低い周波数である第２共振周波数で外部から印加される場合には、第１ループアンテナ（１０）と第２ループアンテナ（２０）とが１つのループアンテナとして作動するため、ループが形成する面積が、第１ループアンテナ（１０）及び第２ループアンテナ（２０）のループの面積を合わせた大きなループアンテナとなる。
【００１３】
すると、外部から印加される電波、例えば、ＲＦＩＤタグ用のアンテナとして用いられる場合には、第２ループアンテナ（２０）の内側に電池などの金属があったとしても、第２ループアンテナ（２０）単独の場合よりも受信効率を向上させることができる。
【００１４】
一方、第１共振周波数で電波を送信する場合には、第２ループアンテナ（２０）のインダクタンスは、第１ループアンテナ（１０）のインダクタンスより高いので、第２ループアンテナ（２０）に流れる電流は少なくなり、第２ループアンテナ（２０）はループアンテナとして作動せず、第１ループアンテナ（１０）のみから電波が送信されることになる。
【００１５】
したがって、第１ループアンテナ（１０）に送信電波を供給するための回路用の電池などの金属を第２ループアンテナ（２０）の内側に配置したとしても、その電池が損失となることがないので、送信効率を向上させることができる。
【００１６】
ところで、接続手段（３０）は、ループアンテナを第１共振周波数で励磁する場合と第２共振周波数とで励磁する場合とで、接続形態を変化できればよい、つまり、第１ループアンテナ（１０）と第２ループアンテナ（２０）が電気的に接続されて、１つのループを形成したり、しなかったりすればよいので、第１ループアンテナ（１０）と第２ループアンテナ（２０）との間を電気的に接続又は遮断できるようなものであってもよい。したがって、請求項２に記載のように、誘導性を有するものであればよい。
【００１７】
つまり、例えば、コイルのように誘導性のある素子を用いて第１ループアンテナ（１０）と第２ループアンテナ（２０）を接続すると、その素子と第１ループアンテナ（１０）と第２ループアンテナ（２０）とでそれぞれ低域通過フィルタが形成される。
【００１８】
したがって、その低域通過フィルタの、第１共振周波数と第２共振周波数に対するカットオフ特性に差異ができるようにすれば、つまり、第１ループアンテナ（１０）と第２ループアンテナ（２０）の第１共振周波数と第２共振周波数に対するインダクタンスに差異ができるようにすれば、第１共振周波数と第２共振周波数とにおいて、第１ループアンテナ（１０）と第２ループアンテナ（２０）とを電気的に接続したり遮断したりすることと同じになるので、ループアンテナの構造を簡易にすることができる。
【００１９】
また、請求項３に記載のように、誘導性を有する接続手段（３０）をコイルとすると、容易に誘導性を有する接続手段（３０）を構成することができる。
さらに、請求項４に記載のように、コイルをチップインダクタとすると、例えば、ループアンテナをプリント基板（４０）上に基板パターンで構成する際に、ループアンテナを小型化することができる。
【００２０】
ところで、接続手段（３０）は、第１ループアンテナ（１０）と第１ループアンテナ（２０）とを２点で電気的に接続すればよいので、誘導性を持たせる以外にも、請求項５に
記載のように、スイッチ（１００，１０２）としてもよい。
【００２１】
このようにすると、スイッチ（１００，１０２）をオン／オフすることにより、第１ループアンテナ（１０）と第２ループアンテナ（２０）とを簡易な構造で電気的に接続することができる。
【００２２】
また、請求項６に記載のように、第１ループアンテナ（１０）が複数周回のループで形成されていると、電波送信時の効率をより向上させることができる。
さらに、請求項７に記載のように、第２ループアンテナ（２０）が複数周回のループで形成されていると電波受信時の効率をより向上させることができる。
【００２３】
ところで、第１ループアンテナ（１０）を構成するには、例えば、空心アンテナやバーアンテナのようにするなど種々の方法があるが、請求項８に記載のように、プリント基板（４０）に基板パターンとして実装すると小型化することができる。
【００２４】
また、請求項９に記載のように、第２ループアンテナ（２０）についても同様に、プリント基板（４０）に基板パターンとして実装すると小型化することができる。
また、請求項１０に記載のように、第２ループアンテナ（２０）において、第２ループアンテナ（２０）の有する誘導成分とで低域通過フィルタを形成するコンデンサ（８０）を備えるようにすると、第１ループアンテナ（１０）から電波を送信する際には、第２ループアンテナ（２０）に流れる電流は、低域通過フィルタで遮断される。したがって、第２ループアンテナ（２０）に電流が流れなくなるので、送信電力の低下を抑制することができる。
【００２５】
また、請求項１１に記載のように、ループアンテナにおいて、第１共振周波数で励振するときは、第１ループアンテナ（１０）に接続された外部回路から供給される電気信号で励振され、さらに、請求項１２に記載のように、第１共振周波数は、自動車のリモートシステムに使用される周波数であると、例えば、自動車のキーの内部にループアンテナを組み込めばよいので、電力効率のよいキーを小型につくることができる。
【００２６】
ここで、自動車のリモートシステムとは、キーレスエントリーやキーレスエンジンスタートのように、運転者等が使用するキーなどの機器を用いて電波により自動車の制御を行うシステムを意味している。
【００２７】
また、請求項１３に記載のように、第２共振周波数で励振するときは、外部から印加される電波により励振され、さらに、請求項１４に記載のように、第２共振周波数は、ＲＦＩＣタグで使用される周波数であると、例えば、自動車のキーの内部にループアンテナを組み込めばよいので、電力効率のよいキーを小型につくることができる。
【図面の簡単な説明】
【００２８】
【図１】第１実施形態のループアンテナの概略の構成を示す図である。
【図２】第１実施形態のループアンテナの等価回路の回路図である。
【図３】第１実施形態のループアンテナの出力特性を示す図である。
【図４】第１実施形態のループアンテナの入力特性を示す図である。
【図５】第２実施形態のループアンテナの概略の構成を示す図である。
【図６】第２実施形態のループアンテナの等価回路の回路図である。
【図７】第３実施形態のループアンテナの概略の構成を示す図である。
【図８】第３実施形態のループアンテナの等価回路の回路図である。
【図９】第４実施形態のループアンテナの等価回路の回路図である。
【発明を実施するための形態】
【００２９】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
（ループアンテナ１の構成）
図１は、本発明が適用されたループアンテナ１の概略の構成を示す図である。図１に示すように、ループアンテナ１は、第１ループアンテナ１０、第２ループアンテナ２０及び接続部３０を備えている。
【００３０】
第１ループアンテナ１０は、第１共振周波数（本実施形態では、キーレスエントリーシステムで使用される３１４［ＭＨｚ］）にて励振されるループアンテナであり、第２ループアンテナ２０は、第１共振周波数において、第１ループアンテナ１０より大きいインダクタンスを有し、第１共振周波数よりも低い周波数である第２共振周波数（本実施形態では、ＲＦＩＣタグで使用される１３．５６［ＭＨｚ］）で励振されるループアンテナである。
【００３１】
第１ループアンテナ１０及び第２ループアンテナ２０は、プリント基板４０に基板パターンとして実装されている。
プリント基板４０上には、送信ＩＣ５０及び受信ＩＣ６０が配置されている。このうち送信ＩＣ５０は、出力部分が第１ループアンテナ１０に接続され、第１ループアンテナ１０から３１４［ＭＨｚ］の電波を出力する集積回路である。
【００３２】
また、受信ＩＣ６０は、ＲＦＩＤタグ用の集積回路であり、入力部分が第２ループアンテナ２０に接続され、外部から第２ループアンテナ２０に印加される１３．５６［ＭＨｚ］の電波を受信し、受信した電波の電力により作動する集積回路である。
【００３３】
また、第２ループアンテナ２０のループの内側で、かつ、第１ループアンテナ１０の外側（図１中では、プリント基板４０の右下）に、送信ＩＣ５０に電源を供給するための電池７０が配置されている。
【００３４】
接続部３０は、第２ループアンテナ２０と第１ループアンテナ１０とが、１つの電気的ループを形成することにより、１つのループアンテナとして励振できるように、第２ループアンテナ２０と第１ループアンテナ１０とを２点で電気的に接続する部分である。
【００３５】
また、プリント基板４０には、図１中では図示しない（図２中に示す）チップコンデンサ８０，８２、８４，８６が実装されている。
（ループアンテナ１の作動と特徴）
次に、図２及び図３に基づき、ループアンテナ１の作動と特徴について説明する。
【００３６】
上記構成を有するループアンテナ１を等価回路図で表すと図２のようになる。すなわち、送信ＩＣ５０に第１ループアンテナ１０が直列接続され、第１ループアンテナ１０に第２ループアンテナ２０が並列接続され、第２ループアンテナ２０に受信ＩＣ６０が直列接続されている。
【００３７】
ただし、図２において、第１ループアンテナ１０及び第２ループアンテナ２０は、コイル（インダクタ）で置き換えて表している。
また、コンデンサ８０が送信ＩＣ５０に、第１ループアンテナ１０と並列に接続され、コンデンサ８２、８４が、第１ループアンテナ１０の両端に直列接続され、さらに、コンデンサ８６が、受信ＩＣ６０に、第２ループアンテナ２０と並列接続されている。
【００３８】
なお、これらのコンデンサ８０、８２，８４，８６は、チップコンデンサのようなディスクリート部品としてプリント基板４０に実装されている。
そして、第２ループアンテナ２０のインダクタンスとコンデンサ８６のキャパシタンスとがＬＣフィルタを構成するので、送信ＩＣ５０から電波を送信する際には、受信ＩＣ６０に流れる電流は、そのＬＣフィルタで遮断される。したがって、受信ＩＣ６０にほとんど電流が流れなくなるので、送信電力の低下を抑制することができる。
【００３９】
この送信電力抑制効果を確認するため、図２に示す回路において、送信ＩＣ５０の代わりに、交流電源を接続して、第１ループアンテナ１０及び第２ループアンテナ２０の出力を計測した結果を図３に示す。
【００４０】
ここで、第１ループアンテナ１０及び第２ループアンテナ２０のインダクタンスは、それぞれ、３１［ｎＨ］、１．４３［μＨ］であり、コンデンサ８０〜８６のキャパシタンスは、それぞれ、２４［ｐＦ］、２４［ｐＦ］、１３［ｐＦ］、９５［ｐＦ］である。
【００４１】
また、図３では、交流電源の出力の周波数を横軸に、出力を縦軸に示してある。また、図２に示すループアンテナ１の回路の第１ループアンテナ１０の出力を実線で、第２ループアンテナ２０の出力を破線で示してある。
【００４２】
図３（ａ）に示すように、第１ループアンテナ１０及び第２ループアンテナ２０の出力は、周波数３１４［ＭＨｚ］において共振していることが分かる。
また、図３（ａ）における周波数３１４「ＭＨｚ］近傍（図３（ａ）中楕円で囲った範囲）を拡大した図３（ｂ）に示すように、周波数３１４［ＭＨｚ］において、第２ループアンテナ２０の出力は、第１ループアンテナ１０の出力に対して３３．２［ｄＢ］低下（約４５分の１）となっている。
【００４３】
つまり、周波数３１４［ＭＨｚ］において、第２ループアンテナ２０には、ほとんど電流が流れない、換言すれば、受信ＩＣ６０には電流が流れないので、受信ＩＣ６０において電力が消費されることがなくなる。したがって、送信電力の低下を抑制できるので、送信効率を向上させることができる。
【００４４】
一方、同じく図２に示す回路において、受信ＩＣ６０の代わりに、交流電源を接続して、第１ループアンテナ１０及び第２ループアンテナ２０の出力を計測した結果を図４に示す。
【００４５】
図４では、交流電源の出力の周波数を横軸に、出力を縦軸に示してある。また、図２に示すループアンテナ１の回路の第１ループアンテナ１０の出力を実線で、第２ループアンテナ２０の出力を破線で示してある。
【００４６】
図４（ａ）に示すように、第１ループアンテナ１０及び第２ループアンテナ２０の出力は、周波数１３．５６［ＭＨｚ］において共振していることが分かる。
また、図４（ｂ）における周波数１３．５６［ＭＨｚ］近傍（図４（ａ）中楕円で囲った範囲）を拡大した図４（ｂ）に示すように、周波数１３．５６［ＭＨｚ］において、第１ループアンテナ１０の出力は、第２ループアンテナ２０の出力に対して４９［ｄＢ］低下（約９０００分の１）となっている。
【００４７】
つまり、周波数１３．５６［ＭＨｚ］において、第１ループアンテナ１０における送信ＩＣ５０には、ほとんど電流が流れず、受信電力の低下を抑制することができる。したがって、受信効率を向上させることができる。
【００４８】
以上より、第１共振周波数よりも低い周波数である第２共振周波数で外部から印加される場合には、第１ループアンテナ１０と第２ループアンテナ２０とが１つのループアンテナとして作動するため、ループが形成する面積が、第１ループアンテナ１０及び第２ループアンテナ２０のループの面積を合わせた大きなループアンテナとなる。
【００４９】
したがって、外部から印加される電波、例えば、ＲＦＩＤタグ用のアンテナとして用いられる場合には、第２ループアンテナ２０の内側に電池などの金属があったとしても、第２ループアンテナ２０単独の場合よりも受信効率を向上させることができる。
【００５０】
一方、第１共振周波数で電波を送信する場合には、第２ループアンテナ２０に流れる電流は少なくなり、第２ループアンテナ２０はループアンテナとして作動せず、第１ループアンテナ１０のみから電波が送信されることになる。
【００５１】
したがって、第１ループアンテナ１０に送信電波を供給するための回路用の電池などの金属を第２ループアンテナ２０の内側に配置したとしても、その電池が損失となることがないので、送信効率を向上させることができる。
【００５２】
また、ループアンテナ１は、第１ループアンテナ１０及び第２ループアンテナ２０をプリント基板４０に基板パターンとして実装しているので小型化することができる。
また、第２ループアンテナ２０において、第２ループアンテナ２０の有する誘導成分とで低域通過フィルタを形成するコンデンサ８０を備えているので、第１ループアンテナ１０から電波を送信する際には、第２ループアンテナ２０に流れる電流は、低域通過フィルタで遮断される。したがって、第２ループアンテナ２０）に電流が流れなくなるので、送信電力の低下を抑制することができる。
【００５３】
また、コンデンサ８０がチップコンデンサであるため、ループアンテナ１を小型化することができる。
［第２実施形態］
次に、第１実施形態のループアンテナ１において、インダクタを追加した第２実施形態におけるループアンテナ２について、図５及び図６に基づき説明する。
【００５４】
なお、ループアンテナ２は、第１実施形態におけるループアンテナ１にインダクタを追加したものであり、その他の構成はループアンテナ１と同じであるため、同じ構成品には同じ符号を付し、その説明を省略する。
【００５５】
ループアンテナ２は、図５に示すように、接続部３０として、プリント基板４０上に、２つのチップインダクタ３０，３２が配置されており、この２つのチップインダクタ３０，３２を介して第２ループアンテナ２０が第１ループアンテナ１０に接続されている。
【００５６】
このような構成を有するループアンテナ２を等価回路で表すと図６のようになる。すなわち、第２ループアンテナ２０に２つのチップインダクタ３０，３２が受信ＩＣ６０を挟んで直列接続されている。
【００５７】
このようなループアンテナ２では、第１実施形態におけるループアンテナ１に比べ、より、送信効率や受信効率を向上させることができる。
すなわち、第１実施形態におけるループアンテナ１の場合、配線の構成によっては、プリント基板４０に基板パターンとして実装されている第２ループアンテナ２０が寄生容量を持つ場合がある。その場合、第２ループアンテナ２０によって形成されるＬＣフィルタのカットオフ特性が劣化する。
【００５８】
この場合、第２実施形態におけるループアンテナ２のように、接続部３０としてインダクタを追加することにより、第２ループアンテナ２０の形成するＬＣフィルタに十分なカットオフ特性を持たせることができるようになる。
【００５９】
すると、送信ＩＣ５０からの電波送信時には、受信ＩＣ６０において電力が消費されず、受信ＩＣ６０での電波受信時には、送信ＩＣ５０において電力が消費されないので、送信効率及び受信効率を向上させることができる。
【００６０】
また、チップインダクタ３０，３２を用いているので、容易に誘導性を有する接続部３０を構成することができ、ループアンテナを小型化することができる。
［第３実施形態］
次に、第２実施形態における第１ループアンテナ１０及び第２ループアンテナ２０を複数周回のループにしたループアンテナ３について、図７及び図８に基づいて説明する。
【００６１】
ループアンテナ３は、図７及び図８に示すように、第２実施形態における第１ループアンテナ１０及び第２ループアンテナ２０を複数周回（本第３実施形態では、２周回）のループにしている。
【００６２】
第１ループアンテナ１０の内周側（第１ループアンテナ１０ｂ）が送信ＩＣ５０にコンデンサ８２，８４を介して直列接続され、外周側（第１ループアンテナ１０ａ）がコンデンサ９２，９４を介して、内周側ループアンテナ１０ｂに並列接続されている。
【００６３】
第２ループアンテナ２０の外周側（第２ループアンテナ２０ａ）の一端がチップインダクタ３４を介して内周側の第１ループアンテナ１０ｂの一端に接続され、他端がチップインダクタ３６を介して外周側の第１ループアンテナ１０ａの一端に接続されている。
【００６４】
第２ループアンテナ２０の内周側（第２ループアンテナ２０ｂ）の一端がチップインダクタ３０を介して、外周側の第１ループアンテナ１０ａの、外周側の第２ループアンテナ２０ａが接続されていない側に接続されており、他端がチップインダクタ３２を介して内周側の第１ループアンテナ１０ｂの、外周側の第２ループアンテナ２０ａが接続されていない側に接続されている。
【００６５】
このようなループアンテナ３では、第２実施形態におけるループアンテナ２に比べ、第１ループアンテナ１０及び第２ループアンテナ２０をそれぞれ複数周回のループで構成したので、受信効率及び送信効率が向上させることができる。
［第４実施形態］
次に、第２実施形態のループアンテナ２におけるインダクタをスイッチに変更した第４実施形態におけるループアンテナ４について、図９に基づき説明する。
【００６６】
なお、ループアンテナ４は、第２実施形態におけるループアンテナ２のインダクタをスイッチに変更したものであり、その他の構成はループアンテナ２と同じであるため、同じ構成品には同じ符号を付し、その説明を省略する。
【００６７】
また、ループアンテナ４の構成は、チップインダクタ３０，３２をスイッチ１００，１０２に入れ替えるだけで図５に示す第２実施形態のループアンテナ２と同じとなるので構成図は省略する。
【００６８】
ループアンテナ４は、接続部３０として、プリント基板４０上に、２つのスイッチ１００，１０２が配置されており、この２つのスイッチ１００，１０２を介して第２ループア
ンテナ２０が第１ループアンテナ１０に接続されている。
【００６９】
このような構成を有するループアンテナ２を等価回路で表すと図９のようになる。すなわち、第２ループアンテナ２０に２つのスイッチ１００，１０２が受信ＩＣ６０を挟んで直列接続されている。
【００７０】
このスイッチ１００，１０２は、ＳＰＳＴ（Ｓｉｎｇｌｅ  Ｐｏｌｅ／Ｓｉｎｇｌｅ  Ｔｈｒｏｗ）スイッチから構成されるスイッチである。なお、第１ループアンテナ１０や第２ループアンテナ２０が複数周回のループの場合には、ループの周回数に合わせてＳＰＳＴの極数を増加させればよい。
【００７１】
また、スイッチ１００，１０２は、制御ＩＣ１０４によってオン／オフが制御される。この制御ＩＣ１０４は、プリント基板４０に実装されており、第１ループアンテナ１０で電波を送信する際には、スイッチ１００，１０２をオフとし、第２ループアンテナ２０で電波を受信する際には、スイッチ１００，１０２をオンするようになっている。
【００７２】
このようなループアンテナ４では、スイッチ１００，１０２を設けるという簡易な構造により容易に第１ループアンテナ１０と第２ループアンテナ２０の電気的接続をオン／オフすることができる。
【符号の説明】
【００７３】
１，２，３… ループアンテナ  １０，１０ａ，１０ｂ… 第１ループアンテナ  ２０，２０ａ，２０ｂ… 第２ループアンテナ  ３０… 接続部（チップインダクタ）  ３２，３４，３６… チップインダクタ  ４０… プリント基板  ５０… 送信ＩＣ  ６０… 受信ＩＣ  ７０… 電池  ８０、８２，８４，８６，９２，９４… コンデンサ  １００，１０２… スイッチ  １０４… 制御ＩＣ。
【図２】
2014135715.tif 000003
【図６】
2014135715.tif 000004
【図８】
2014135715.tif 000005
【図９】
2014135715.tif 000006
【図１】
2014135715.tif 000007
【図３】
2014135715.tif 000008
【図４】
2014135715.tif 000009
【図５】
2014135715.tif 000010
【図７】
2014135715.tif 000011